(57)【特許請求の範囲】
【請求項１】
レンズ群と、
ギア部を有し、光軸を中心として回転することにより前記レンズ群を光軸方向に移動させる駆動枠と、
前記ギア部と噛合し前記駆動枠を回転させる駆動ギアを備え、前記駆動枠を回転可能に保持する固定枠と、
前記駆動ギアと噛合する出力歯車と、前記出力歯車を駆動する駆動手段と、固定部と、少なくとも１つの当接部とを有し、前記当接部が前記固定枠の一側面に当接した状態で、前記固定部により前記固定枠に固定される駆動ユニットと、
を備え、
前記当接部のうち少なくとも１つは、前記固定部を挟んで前記出力歯車とは光軸方向に離間して備えるレンズ鏡筒。
【請求項２】
前記駆動ギアの回転中心に駆動ギア軸をさらに備え、
前記固定枠は、前記駆動ギア軸の両端を支持する一対の軸受部を有し、
前記当接部のうち少なくとも１つは、前記軸受部の少なくとも一方が備えられた面に当接させる、
請求項１に記載のレンズ鏡筒。
【請求項３】
前記当接部のうち少なくとも１つは、リブ形状をした当接リブであり、前記固定部を挟んで前記出力歯車とは光軸方向に離間して備える、
請求項１または２記載のレンズ鏡筒。
【請求項４】
前記駆動ユニットに電流を供給するフレキシブルプリント基板または導電材を前記当接リブ近傍に配設したレンズ鏡筒であって、
前記当接リブまたは前記駆動ギア軸の軸受部により前記駆動ギアが略遮蔽されることにより、前記フレキシブルプリント基板または前記導電材が前記駆動ギアに巻き込まれるのを防止する、
請求項３に記載のレンズ鏡筒。
【請求項５】
前記駆動ユニットの前記固定枠の円筒面に対向する対向面に凹部を設け、前記固定枠に前記凹部と嵌合する凸部を設け、前記凹部と前記凸部を嵌合させる、
請求項１〜４のいずれかに記載のレンズ鏡筒。
【請求項６】
前記駆動ユニットの前記固定枠の円筒面に対向する対向面に凸部を設け、前記固定枠に前記凸部と嵌合する凹部を設け、前記凸部と前記凹部を嵌合させる、
請求項１〜４のいずれかに記載のレンズ鏡筒。
【発明の詳細な説明】
【技術分野】
【０００１】
本発明は、レンズ群あるいはレンズ枠を移動させることにより光学変倍あるいは繰出しあるいは収納が可能なレンズ鏡筒に関する。
【背景技術】
【０００２】
近年、撮影画像をすぐに確認することができるデジタルスチルカメラ（以下、ＤＳＣと称す）が急速に普及している。このＤＳＣ用のレンズ鏡筒としては、非撮影時における携帯性を考慮し、非撮影時には鏡筒の長さが短くなる、いわゆる沈胴式のレンズ鏡筒が採用されている。また沈胴式レンズ鏡筒は、光学変倍（以下、ズームと称す）の際、鏡筒の長さを変化させて焦点距離を変化させる、沈胴ズーム式レンズ鏡筒が採用される例が多い。
この沈胴ズーム式レンズ鏡筒は、一般に、沈胴・ズーム用モータの回転力により駆動ギアを介してカム筒を回転させ、レンズ群を駆動する沈胴・ズーム機構を備える。
【０００３】
ここで重要なのが、沈胴・ズーム用モータの出力歯車の回転中心軸と駆動ギアの回転中心軸との距離である。この中心軸間距離が許容誤差範囲を越えると、駆動ギアの回転時、すなわち沈胴ズーム動作時に不要な振動や騒音が発生し、カメラの品質を低下させるという課題があった。
【０００４】
この課題を解決する手段として、例えば、特許文献１には、以下のような沈胴機構が開示されている。すなわち、固定枠の軸受部に駆動ギアの駆動ギア軸が保持される。駆動ギア軸の一端は一方の軸受部を貫通して突出している。駆動ギア軸のこの突出端を駆動ユニットの貫通穴に嵌入させて、駆動ユニットは固定枠に取り付けられる。その結果、駆動ユニットの出力歯車と駆動ギアとの軸間距離のばらつきを抑えることができ、不要な振動や騒音を発生することなく沈胴動作を行うことができる。
【特許文献１】特開２００５−１２８１８７号公報
【発明の開示】
【発明が解決しようとする課題】
【０００５】
しかしながら、上記の沈胴式レンズ鏡筒においては、駆動ギア軸の一端が固定枠の軸受部から突出させ、その突出端を駆動ユニットの貫通穴に嵌入させる構成であるため、少なくとも駆動ギア軸の固定枠の軸受部からの突出長さ分だけレンズ鏡筒が長くなり、レンズ鏡筒の薄型化が困難であるという課題があった。
【０００６】
そこで本発明は、沈胴・ズーム動作時の低振動化、低騒音化を実現しつつ、薄型化を実現した沈胴ズーム式レンズ鏡筒を提供することを目的とする。
【課題を解決するための手段】
【０００７】
上記目的を達成するために本発明のレンズ鏡筒は、レンズ群と、ギア部を有し、光軸を中心として回転することによりレンズ群を光軸方向に移動させる駆動枠と、ギア部と噛合し駆動枠を回転させる駆動ギアを備え、駆動枠を回転可能に保持する固定枠と、駆動ギアと噛合する出力歯車と、出力歯車を駆動する駆動手段と、固定部と、少なくとも１つの当接部とを有し、当接部が固定枠の一側面に当接した状態で、固定部により固定枠に固定される駆動ユニットと、を備え、当接部のうち少なくとも１つは、固定部を挟んで出力歯車とは光軸方向に離間して備える。
【０００８】
これにより、固定枠の側面に駆動ユニットを当接させるため、レンズ鏡筒の長さを延長することなく、固定枠に対する駆動ユニットの傾きを最小限に抑え、駆動ユニットの出力歯車の中心軸と駆動ギアの中心軸との軸間距離を許容範囲内に抑えることができ、沈胴・ズーム動作時の低振動化、低騒音化を実現することができる。
【０００９】
また、本発明のレンズ鏡筒は、駆動ギアは、駆動ギアの回転中心に駆動ギア軸を有し、固定枠は、駆動ギア軸の両端を支持する一対の軸受部を有し、当接部のうち少なくとも１つは、軸受部の少なくとも一方が備えられた面に当接させるようにしてもよい。
【００１０】
これにより、沈胴・ズーム用モータの停止等で駆動ユニットが固定枠に対して傾きを発生させるような慣性力等が駆動ユニットに働いたとしても、駆動ユニットの当接部の１つを駆動ギア軸の軸受部の側面に当接させることにより、レンズ鏡筒の長さを延長することなく、駆動ユニットの出力歯車の中心軸と駆動ギアの中心軸との軸間距離を許容範囲内に抑えることができ、沈胴・ズーム動作時の低振動化、低騒音化を実現することができる。
【００１１】
また、本発明のレンズ鏡筒は、当接部のうち少なくとも１つは、リブ形状をした当接リブであり、固定部を挟んで前記出力歯車とは光軸方向に離間して備えるようにしてもよい。
【００１２】
これにより、当接リブを固定部と光軸方向に離間して備えたことにより、固定枠に対する駆動ユニットの傾きを最小限に抑え、出力歯車の中心軸と駆動ギアの中心軸との軸間距離を許容範囲内に抑えることができ、沈胴・ズーム動作時の低振動化、低騒音化を実現することができる。
【００１３】
また、本発明のレンズ鏡筒は、駆動ユニットに電流を供給するフレキシブルプリント基板または導電材を当接リブ近傍に配設したレンズ鏡筒であって、当接リブまたは駆動ギア軸の軸受部により駆動ギアが略遮蔽されることにより、フレキシブルプリント基板または導電材が駆動ギアに巻き込まれるのを防止するようにしてもよい。
【００１４】
これにより、駆動ユニットに電流を供給するフレキシブルプリント基板または導電材を、駆動ギアに巻き込まれるために通常なら配設を避けるところ、当接リブあるいは駆動ギア軸の軸受部により駆動ギアが略遮蔽されることにより、フレキシブルプリント基板または導電材の配設が可能となり、フレキシブルプリント基板または導電材の配設自由度を高めることができる。
【００１５】
また、本発明のレンズ鏡筒は、駆動ユニットの固定枠の円筒面に対向する対向面に凸部を設け、固定枠に凸部と嵌合する凹部を設け、凸部と凹部を嵌合させるようにしてもよい。
【００１６】
これにより、沈胴・ズーム用モータの停止等で駆動ユニットが固定枠に対して傾きを発生させるような慣性力等が駆動ユニットに働いたとしても、固定枠に設けた凸部と駆動ユニットに設けた凹部を嵌合させることにより、レンズ鏡筒の長さを延長することなく、駆動ユニットの出力歯車の中心軸と駆動ギアの中心軸との軸間距離を許容範囲内に抑えることができ、沈胴・ズーム動作時の低振動化、低騒音化を実現することができる。
【００１７】
また、本発明のレンズ鏡筒は、駆動ユニットの固定枠の円筒面に対向する対向面に凸部を設け、固定枠に凸部と嵌合する凹部を設け、凸部と凹部を嵌合させるようにしてもよい。
【００１８】
これにより、嵌合部材が、固定枠が凹部で、駆動ユニットが凸部であり、固定枠が凹部で駆動ユニットが凸部の場合と同じ効果がある。
【発明の効果】
【００１９】
以上のように、本発明によれば、沈胴・ズーム動作時の低振動化、低騒音化を実現しつつ、薄型化を実現した沈胴ズーム式レンズ鏡筒を提供できる。
【発明を実施するための最良の形態】
【００２０】
以下、本発明の一実施形態における沈胴ズーム式レンズ鏡筒について、図１〜図７を用いて説明する。
【００２１】
図１は本発明の一実施形態における沈胴ズーム式レンズ鏡筒の分解斜視図、図２（ａ）は本発明の一実施形態における沈胴ズーム式レンズ鏡筒の固定枠に設けられた駆動カム溝の展開図、図２（ｂ）は本発明の一実施形態における沈胴ズーム式レンズ鏡筒の駆動枠に設けられた１群カム溝、２群カム溝、３群カム溝の展開図、図３（ａ）は本発明の一実施形態における沈胴ズーム式レンズ鏡筒の沈胴時の各レンズ群の位置を説明する断面図、図３（ｂ）は本発明の一実施形態における沈胴ズーム式レンズ鏡筒の広角撮影時の各レンズ群の位置を説明する断面図、図３（ｃ）は本発明の一実施形態における沈胴ズーム式レンズ鏡筒の望遠撮影時の各レンズ群の位置を説明する断面図、図４は本発明の一実施形態における沈胴ズーム式レンズ鏡筒の駆動ユニットの固定手段を説明する斜視図、図５は本発明の一実施形態における沈胴ズーム式レンズ鏡筒の駆動ユニットの固定手段を説明する図４とは異なる方向から見た斜視図、図６は本発明の一実施形態における沈胴ズーム式レンズ鏡筒の駆動ユニットの固定状態を説明する斜視図、図７は本発明の一実施形態における沈胴ズーム式レンズ鏡筒の駆動ユニットの固定状態およびフレキシブルプリント基板の配設状態を説明する斜視図である。
【００２２】
沈胴ズーム式のレンズ鏡筒１について、図１から図７を用いて説明する。図１に示したように、沈胴ズーム式レンズ鏡筒の光軸をＺ軸（物体側を正とする）とするＸＹＺ３次元直交座標系を設定する。Ｌ１は１群レンズ、Ｌ２は光軸（Ｚ軸）上を移動して変倍を行う２群レンズ、Ｌ３は像ぶれ補正用の３群レンズ、Ｌ４は変倍に伴う像面変動の補正及び合焦のために光軸上を移動する４群レンズ、Ｌ５は像の収差を補正する５群レンズである。ただし、変倍を行う際には、後で図２および図３を用いて説明するが、２群レンズＬ２のみ移動させるのではなく、１群レンズＬ１、２群レンズＬ２、３群レンズＬ３、４群レンズＬ４を光軸方向に移動させる。
【００２３】
固定枠２は、カメラの筐体に固定する固定部を備えた枠である。固定枠２には、軸受フランジ２ａ，２ｂが備えられ、駆動ギア軸５が嵌挿される。駆動ギア軸５を回転中心として駆動ギア３が回転自在に保持されている。
【００２４】
駆動ユニット４は、複数のギアを備えた、減速機構付きＤＣモータである。駆動ユニット４は、固定枠２の側面に備えた固定部にビス６ａ，６ｂで固定される。駆動ユニット４の駆動出力段である出力ギア４ａは、駆動ギア３と噛み合い、モータの駆動力を伝達する。
【００２５】
駆動枠８は、外径部に駆動枠ギア部８ｎを備え、駆動ギア３と噛み合い、駆動ユニット４の駆動により回転する。駆動枠８の外径部には、駆動カムピン８ｊ，８ｋ，８ｍを備えており、駆動ユニット４が回転すると、固定枠２の内径部に備えた駆動カム溝２ｅ，２ｆ，２ｇに沿って光軸方向に移動し、この動作により沈胴ズーム動作を行い、図３（ａ）に示す沈胴状態から、図３（ｂ）に示す広角撮影状態、図３（ｃ）に示す望遠撮影状態に移行する。
【００２６】
直進枠９は、駆動枠８に回動自在に保持され、沈胴ズーム時には駆動枠８とともに光軸方向に移動する。一方、直進枠９の外径部には直進リブ９ｊ，９ｋ，９ｍを備えており、固定枠２の内径部に備えた直進溝２ｈ，２ｉ，２ｊに摺動自在に備えられている。直進枠９は、直進溝２ｈ，２ｉ，２ｊにより回転しないよう規制されるので、直進枠９は、沈胴ズーム時には、駆動枠８とともに光軸方向に移動するが、駆動枠８が駆動ユニット４の駆動により回転しながら光軸方向に移動するのに対し、直進枠９は、回転せずに光軸方向に直進移動する。
【００２７】
１群枠１１は、１群レンズＬ１を保持している。１群枠１１には、１群カムピン１１ａ，１１ｂ，１１ｃが備えられており、駆動枠８の内径部に設けられた１群カム溝８ａ，８ｂ，８ｃに摺動自在に保持されている。一方、１群カムピン１１ａ，１１ｂ，１１ｃの側面は、直進枠９の側面に備えられた１群直進溝９ａ，９ｂ，９ｃに摺動自在に保持されている。１群枠１１は、１群直進溝９ａ，９ｂ，９ｃにより回転しないよう規制されるので、１群枠１１は、回転せずに光軸方向に直進移動し、図３（ａ）に示す沈胴状態から、図３（ｂ）に示す広角撮影状態、図３（ｃ）に示す望遠撮影状態に移行する。
【００２８】
２群枠１５は、２群レンズＬ２を保持している。２群枠１５には、２群カムピン１５ａ，１５ｂ，１５ｃが備えられており、駆動枠８の内径部に設けられた２群カム溝８ｄ，８ｅ，８ｆに摺動自在に保持されている。一方、２群カムピン１５ａ，１５ｂ，１５ｃの側面は、直進枠９の側面に備えられた２群直進溝９ｄ，９ｅ，９ｆに摺動自在に保持されている。２群枠１５は、２群直進溝９ｄ，９ｅ，９ｆにより回転しないよう規制されるので、２群枠１５は、回転せずに光軸方向に直進移動し、図３（ａ）に示す沈胴状態から、図３（ｂ）に示す広角撮影状態、図３（ｃ）に示す望遠撮影状態に移行する。
【００２９】
３群枠１９は、像ぶれ補正用レンズ群Ｌ３（３群レンズ）を保持し、像ぶれ補正装置５６を構成している。３群枠１９には、３群カムピン１９ａ，１９ｂ，１９ｃが備えられており、駆動枠８の内径部に設けられた３群カム溝８ｇ，８ｈ，８ｉに摺動自在に保持されている。一方、３群カムピン１９ａ，１９ｂ，１９ｃの側面は、直進枠９の側面に備えられた３群直進溝９ｇ，９ｈ，９ｉに摺動自在に保持されている。３群枠１９は、３群直進溝９ｇ，９ｈ，９ｉにより回転しないよう規制されるので、３群枠１９は、回転せずに光軸方向に直進移動し、図３（ａ）に示す沈胴状態から、図３（ｂ）に示す広角撮影状態、図３（ｃ）に示す望遠撮影状態に移行する。
【００３０】
像ぶれ補正装置５６は、撮影時に像ぶれを補正するための像ぶれ補正用レンズ群Ｌ３を、第１の方向（Ｙ方向）であるピッチング方向と、第２の方向（Ｘ方向）であるヨーイング方向とに移動させる。第１の電磁アクチュエータ５７ｙはＹ方向の駆動力を発生し、第２の電磁アクチュエータ５７ｘはＸ方向の駆動力を発生することにより、像ぶれ補正用レンズ群Ｌ３は光軸Ｚにほぼ垂直なＸ，Ｙの２方向に駆動される。
シャッターユニット５１は、撮像素子５３の露光量及び露光時間を制御するため、一定の開口径を形成する絞り羽根とシャッター羽根とから構成されている。シャッターユニット５１は、３群枠１９に固定されている。
【００３１】
４群枠２３は、４群レンズＬ４を保持している。４群枠２３は軸受部２３ａ，２３ｂを備え、３群枠１９に設けられた主軸側指示部と回り止め側指示部に光軸方向に略平行に一端を貫入されたガイドポール２０ａ，２０ｂに係合して光軸方向に直進移動自在に保持されている。
【００３２】
フォーカスモータ５２は、４群枠２３を光軸方向に移動させるステッピングモータであり、３群枠１９に固定されている。フォーカスモータ５２は、回転軸の一端に雄ネジの切られたリードスクリュー５２ａとリードスクリュー５２ａに噛合して光軸方向に直進移動するナット５２ｂを備えている。ナット５２ｂは外形に凸部を備えており、３群枠１９に備えた図示しない直進溝に係合させ、ナット５２ｂが回転しないよう規制されている。ガイドポール２０ａの根元にフォーカスバネ２４（圧縮バネ）を緩挿し、フォーカスバネ２４の付勢力により４群枠２３をナット５２ｂに押し付けることにより、フォーカスモータ５２の駆動によるナット５２ｂの光軸方向への直進移動に追随させる。
回転量検出センサ５４ａ，５４ｂは、駆動ユニット４のモータの回転量を検出するセンサで、駆動ユニット４に取り付けられる。
【００３３】
原点検出センサ５５は、フォーカス用レンズである４群レンズＬ４の原点位置を検出するセンサで、３群枠１９に設置されている。４群レンズＬ４を保持する４群枠２３に検出リブ２３ｃが備えられており、フォーカスモータ５２の駆動により４群枠２３が移動し、検出リブ２３ｃが原点検出センサ５５を通過することにより、原点位置を検出する。
マスターフランジ２５は、５群レンズＬ５を保持するとともに、撮像面に入射した光信号を画像処理および記憶の可能な電気信号に変換する撮像素子（ＣＣＤ）５３を保持する。マスターフランジ２５は、固定枠２に固定される。
【００３４】
フレキシブルプリント基板２６は、カメラに備えられた駆動制御回路に接続され、上記した駆動ユニット４、シャッターユニット５１、フォーカスモータ５２、あるいは、像ぶれ補正装置５６に駆動電流を供給し、さらに、回転量検出センサ５４ａ，５４ｂ、原点検出センサ５５、あるいは、像ぶれ補正装置５６で検出する検出信号をカメラの駆動制御回路に伝達する。フレキシブルプリント基板２６には、回転量検出センサ５４ａ，５４ｂが実装されて、さらに、フレキシブルプリント基板２６は、駆動ユニット４のモータ端子部４ｅ，４ｆにも接続している。フレキシブルプリント基板２６と、シャッターユニット５１、フォーカスモータ５２、像ぶれ補正装置５６、あるいは、原点検出センサ５５との接続は、図示しない第２のフレキシブルプリント基板、あるいは、第３のフレキシブルプリント基板を介して行う。
【００３５】
以上のようなレンズ鏡筒１において、駆動ユニット４の固定枠２への固定方法をさらに詳しく説明する。
【００３６】
駆動ユニット４のモータを駆動し、モータが所定回転数だけ回転したと検出した際にモータを停止させると、駆動ユニット４により駆動されるレンズ鏡筒１の各部品、すなわち、駆動ギア３、駆動枠８、１群枠１１、２群枠１５、３群枠１９の慣性力により、直ちには停止せず、駆動ギア３が噛合している駆動ユニット４の出力ギア４ａとの軸間距離を引き離そうとする力を発生させる。
【００３７】
そこで、駆動ユニット４には、固定枠２の軸受フランジ２ａの側面に当接させる当接リブ４ｂを備えている。出力ギア４ａが駆動ギア３から離れようとすると、固定枠２に設けた駆動ユニット４の固定部の反対側にある当接リブ４ｂと、固定枠２の軸受フランジ２ａは接近する。このため、駆動ユニット４の固定枠２への固定方法として、固定部へのビス締めによる固定の他に、軸受フランジ２ａの側面に当接する当接リブ４ｂを備えることにより、出力ギア４ａと駆動ギア３との軸間距離を許容範囲内に抑えることができ、沈胴・ズーム動作時の低振動化、低騒音化を実現することができる。さらに、当接リブ４ｂは、軸受フランジ２ａの光軸後ろ側（図１の−Ｙ方向）には突出していないので、レンズ鏡筒１を厚くすることなく実現できるので、レンズ鏡筒１の薄型化も実現できる。
【００３８】
図７に示すように、フレキシブルプリント基板２６は、回転量検出センサ５４ａ，５４ｂあるいは駆動ユニット４のモータ端子部４ｅ，４ｆに接続しており、カメラ本体に接続する端子部２６ａへ電気信号を伝送するための信号線を配設する。駆動ユニット４が当接リブ４ｂを備えていることにより、フレキシブルプリント基板２６は、当接リブ４ｂの一側面に沿わせることで、駆動ギア３の回転に巻き込まれることなく配設することができ、フレキシブルプリント基板２６の端子部２６ａに最短で接続することが実現できる。
【００３９】
図５に示すように、固定枠２に嵌合リブ２ｃ，２ｄ、駆動ユニット４の前記嵌合リブ２ｃ，２ｄに対向する位置に嵌合凹部４ｃ，４ｄを備えている。嵌合リブ２ｃは嵌合凹部４ｃと、嵌合リブ２ｄは嵌合凹部４ｄとそれぞれ嵌合する。駆動ユニット４のモータ停止時に発生する各部品の慣性力により、出力ギア４ａが駆動ギア３から遠ざけられる力が発生し、駆動ユニット４が傾きを発生させようとすると、上記の嵌合リブ２ｃと嵌合凹部４ｃ、あるいは嵌合リブ２ｄと嵌合凹部４ｄとは固定枠２の略半径方向に平行な方向にて嵌合されているので、駆動ユニット４の傾き発生に対してはその傾きを阻害する働きとなる。さらに、嵌合リブ２ｃ，２ｄ、嵌合凹部４ｃ，４ｄともそれぞれ、固定枠２、駆動ユニット４の側面に設けたので、レンズ鏡筒１を長くすることなく構成することができる。
【００４０】
なお本実施形態では、当接リブ４ｂと嵌合リブ２ｃ，２ｄとも備えた形態として示したが、独立した構成であるため、いずれか一方のみの構成であっても、その構成を取ることに伴う効果が得られる。
【００４１】
なお本実施形態では、当接部として軸受フランジ２ａの側面に当接する当接リブ４ｂを示したが、レンズ鏡筒１の側面内で別の当接手段を構成することができれば、同じ効果が得られる。
【００４２】
なお本実施形態では、２６がフレキシブルプリント基板であるとしたが、リード線等の導電材であっても、同じ効果が得られる。
【００４３】
なお本実施形態では、固定枠２に嵌合リブ２ｃ，２ｄ、駆動ユニット４に嵌合凹部４ｃ，４ｄを設けるとしたが、固定枠２に嵌合凹部、駆動ユニット４に嵌合リブを設けても同じ効果が得られる。
【００４４】
なお本実施形態では、沈胴・ズーム駆動を同一の駆動ユニット４で行うとしたが、沈胴駆動のみ、あるいはズーム駆動のみであっても、本構成を使用した駆動であれば、同じ効果が得られる。
【産業上の利用可能性】
【００４５】
本発明の利用分野は特に限定はないが、例えば、沈胴・ズーム駆動を駆動ユニットで行う、薄型の沈胴ズーム式レンズ鏡筒として利用することができる。
【図面の簡単な説明】
【００４６】
【図１】本発明の一実施形態における沈胴ズーム式レンズ鏡筒の分解斜視図
【図２】（ａ）本発明の一実施形態における沈胴ズーム式レンズ鏡筒の固定枠に設けられた駆動カム溝の展開図、（ｂ）本発明の一実施形態における沈胴ズーム式レンズ鏡筒の駆動枠に設けられた１群カム溝、２群カム溝、３群カム溝の展開図
【図３】（ａ）本発明の一実施形態における沈胴ズーム式レンズ鏡筒の、沈胴時の各レンズ群の位置を説明する断面図、（ｂ）本発明の一実施形態における沈胴ズーム式レンズ鏡筒の、広角撮影時の各レンズ群の位置を説明する断面図、（ｃ）本発明の一実施形態における沈胴ズーム式レンズ鏡筒の、望遠撮影時の各レンズ群の位置を説明する断面図
【図４】本発明の一実施形態における沈胴ズーム式レンズ鏡筒の、駆動ユニットの固定手段を説明する斜視図
【図５】本発明の一実施形態における沈胴ズーム式レンズ鏡筒の、駆動ユニットの固定手段を説明する、図４とは異なる方向から見た斜視図
【図６】本発明の一実施形態における沈胴ズーム式レンズ鏡筒の、駆動ユニットの固定状態を説明する斜視図
【図７】本発明の一実施形態における沈胴ズーム式レンズ鏡筒の、駆動ユニットの固定状態およびフレキシブルプリント基板の配設状態を説明する斜視図
【符号の説明】
【００４７】
Ｌ１    １群レンズ
Ｌ２    ２群レンズ（ズーム用レンズ）
Ｌ３    ３群レンズ（像ぶれ補正用レンズ群）
Ｌ４    ４群レンズ（フォーカス用レンズ）
Ｌ５    ５群レンズ（補正用レンズ）
１    レンズ鏡筒
２    固定枠
２ａ，２ｂ    軸受フランジ
２ｃ，２ｄ    嵌合リブ
２ｅ，２ｆ，２ｇ    駆動カム溝
２ｈ，２ｉ，２ｊ    直進溝
３    駆動ギア
４    駆動ユニット
４ａ    出力ギア
４ｂ    当接リブ
４ｃ，４ｄ    嵌合凹部
４ｅ，４ｆ    モータ端子部
５    駆動ギア軸
６ａ，６ｂ    ビス
８    駆動枠
８ａ，８ｂ，８ｃ    １群カム溝
８ｄ，８ｅ，８ｆ    ２群カム溝
８ｇ，８ｈ，８ｉ    ３群カム溝
８ｊ，８ｋ，８ｍ    駆動カムピン
８ｎ    駆動枠ギア部
９    直進枠
９ａ，９ｂ，９ｃ    １群直進溝
９ｄ，９ｅ，９ｆ    ２群直進溝
９ｇ，９ｈ，９ｉ    ３群直進溝
９ｊ，９ｋ，９ｍ    直進リブ
１１    １群枠
１１ａ，１１ｂ，１１ｃ    １群カムピン
１５    ２群枠
１５ａ，１５ｂ，１５ｃ    ２群カムピン
１９    ３群枠
１９ａ，１９ｂ，１９ｃ    ３群カムピン
２０ａ，２０ｂ    ガイドポール
２３    ４群枠
２３ａ，２３ｂ    軸受部
２３ｃ    検出リブ
２４    フォーカスバネ
２５    マスターフランジ
２６    フレキシブルプリント基板
２６ａ    端子部
５１    シャッタ−ユニット
５２    フォーカスモータ
５２ａ    リードスクリュー
５２ｂ    ナット
５３    撮像素子（ＣＣＤ）
５４ａ，５４ｂ    回転量検出センサ
５５    原点検出センサ
５６    像ぶれ補正装置
５７ｙ，５７ｘ    電磁アクチュエータ
【図１】
0004774859.tif 000002
【図２】
0004774859.tif 000003
【図３】
0004774859.tif 000004
【図４】
0004774859.tif 000005
【図５】
0004774859.tif 000006
【図６】
0004774859.tif 000007
【図７】
0004774859.tif 000008